(57)【要約】【課題】上下に隣接する壁パネル間の目地合わせ行うとともに、目地充填材やバックアップ材を保持する受板を目地に配することができる壁パネル連結具を提供する。【解決手段】隣接する壁パネル端部間の目地合わせを行う連結板１１と、該連結板１１に固定する保持板１３と、前記連結板１１の屋外側に配される左右一対の調節板１２と、該調節板１２に固定されるとともに、前記保持板１３を挿通して前記連結板１１に締結される締結部材１６と、前記調節板を屋外側に付勢する付勢バネ１５と、から構成された壁パネル連結具１を目地部に配置したものである。【選択図】図１
2005213930.tif 000002
【特許請求の範囲】
【請求項１】
隣接する壁パネル端部間の目地合わせを行う連結板と、
該連結板に固定する保持板と、
前記連結板の屋外側に配される左右一対の調節板と、
該調節板に固定されるとともに、前記保持板を挿通して前記連結板に締結される締結部材と、
前記調節板を屋外側に付勢する付勢バネと、
から構成された壁パネル連結具を
目地部に配置したことを特徴とする壁パネルの目地部連結構造。
【請求項２】
請求項１に記載の壁パネル連結具を備え、
前記保持板に受板を固定し、該受板に目地充填材及びバックアップ材を目地部に保持したことを特徴とする壁パネルの目地部連結構造。
【請求項３】
請求項１又は２に記載の壁パネル連結具において、
前記連結板を建物躯体に固定する工程と、
前記一対の調節板を回動して、隣接する一方の壁パネルとの不陸を矯正する工程と、
前記受板に目地充填材及びバックアップ材を保持する工程と、
外壁材の目地部にシーリング材を充填する工程と
からなる壁パネルの目地施工方法。
【発明の詳細な説明】
【技術分野】
【０００１】
本発明は、隣接する一方の壁パネルと、他方の壁パネルとを連結するための連結具に関し、特に、連結する各壁パネルを水平に保持する連結具に関するものである。
【背景技術】
【０００２】
通常、住宅の外壁等を一枚のパネルで成形すると破損し易く、搬送や組立作業等は重労働となり、扱い難くなるため、小単位で分割した壁パネルをそれぞれ連結して外壁を形成するようにしている。そして、隣接する各壁パネル同士の目地には、各壁パネル同士を連結するための連結具が配されるものである。
また、各壁パネル同士の目地には、連結具とともに、目地充填材やバックアップ材、シーリング材を充填して、浸水の防止や防火を図ることが一般的となっている。
このような壁パネルの目地構造において、従来、上下段の壁パネルの目地に配される取付金具を用いて調節が必要とすることなく、目地合わせを可能とした技術が公開されている。（特許文献１、２参照。）
【０００３】
【特許文献１】特開平８−２５３９９３号公報
【特許文献２】特開平８−６０７５７号公報
【発明の開示】
【発明が解決しようとする課題】
【０００４】
しかしながら、従来の壁パネルの目地構造においては、容易に目地合わせを可能とする技術は公開されているものの、目地に目地充填材やバックアップ材を保持する受板を配置するためには別工程の施工で行う必要があった。即ち、壁パネルの連結具と、目地充填材やバックアップ材を保持する受板とは、別部材で設けられており、目地部に対して別々に配置する必要があり、施工性が悪かったのである。
このため、本発明においては、上下に隣接する壁パネルの目地合わせを行うことができるとともに、目地充填材やバックアップ材を保持する受板を目地部に配することが可能な壁パネル連結具を提供するものである。
また、それとともに、壁パネル連結具を壁パネル間の目地部に配する施工工程の減少を図り、施工性の向上を図るものである。
【課題を解決するための手段】
【０００５】
本発明の解決しようとする課題は以上の如くであり、次にこの課題を解決するための手段を説明する。
【０００６】
即ち、請求項１においては、隣接する壁パネル端部間の目地合わせを行う連結板と、該連結板に固定する保持板と、前記連結板の屋外側に配される左右一対の調節板と、該調節板に固定されるとともに、前記保持板を挿通して前記連結板に締結される締結部材と、前記調節板を屋外側に付勢する付勢バネと、から構成された壁パネル連結具を目地部に配置したものである。
【０００７】
請求項２においては、請求項１に記載の壁パネル連結具を備え、前記保持板に受板を固定し、該受板に目地充填材及びバックアップ材を目地部に保持したものである。
【０００８】
請求項３においては、請求項１又は２に記載の壁パネル連結具において、前記連結板を建物躯体に固定する工程と、前記一対の調節板を回動して、隣接する一方の壁パネルとの不陸を矯正する工程と、前記受板に目地充填材及びバックアップ材を保持する工程と、外壁材の目地部にシーリング材を充填する工程とからなるものである。
【発明の効果】
【０００９】
本発明の効果として、以下に示すような効果を奏する。
【００１０】
請求項１においては、上下に隣接する壁パネルの目地合わせを行うと同時に、目地充填材とバックアップ材とを保持する受板の配置を行うことができる。このため、壁パネルの目地の施工が容易となり、現場での施工工程を減少することが可能となる。
【００１１】
請求項２においては、上下に隣接する壁パネルの目地の施工が容易となり、現場での施工工程を減少することが可能となる。
【００１２】
請求項３においては、少ない施工で上下に隣接する壁パネルの目地合わせを可能とするとともに、シーリング材の三面接着を防止するとともに、目地部の防火を図ることができる。
【発明を実施するための最良の形態】
【００１３】
次に、発明の実施の形態を説明する。
図１は本発明に係る壁パネルの目地構造を示す縦断面図、図２は壁パネル連結具の構成を示す正面図、図３は連結板の構成を示す正面図、図４は同じく側面図、図５は同じく平面図、図６は保持板の構成を示す正面図、図７は同じく平面図である。
【００１４】
まず、本発明に係る壁パネルの目地構造について説明する。
図１では、上下の壁パネルを壁パネル連結具１により目地合わせした状態を示しており、本実施例では、壁パネル連結具１を躯体３に固定して外側に突出し、上下に隣接する壁パネル同士を連結するとともに、各壁パネルの位置規制を行い、上下の壁パネル間にずれや歪みが生じないようにしている。
【００１５】
図１に示すように、連結板１１の上面に、長手方向適宜間隔をあけてスタッドボルト５が上方を向けて突設されており、該スタッドボルト５を躯体３に取付けることで、壁パネル連結具１が目地部に固定されている。そして、該壁パネル連結具１によって上下方向に隣接して配置される下部壁パネル１０と上部壁パネル２０とが目地合わせされる。また、該壁パネル連結具１には、上下壁パネル１０・２０間の水平目地に充填される目地充填材２３やバックアップ材２５を保持するための受板１４を備えているものである。
【００１６】
前記下部壁パネル１０、及び、上部壁パネル２０は、それぞれ室内側に下地体１０ｂ・２０ｂと、該下地体１０ｂ・２０ｂの周囲の目地部に設けられた補強体１０ｃ・２０ｃと、前記下地体１０ｂ・２０ｂと補強体１０ｃ・２０ｃとの外面（屋外側面）に設けられた外壁材（サイディング）１０ａ・２０ａと、から構成されている。
前記補強体１０ｃ・２０ｃは断面視略Ｕ字状に構成され、開放側が上下または左右の外方を向いて開放されている。即ち、外周部に配設した補強体１０ｃ・２０ｃの中空部分の目地部に壁パネル連結具１が配置されている。
【００１７】
前記壁パネル連結具１は、プレートを断面視略Ｌ字状に折り曲げて形成した連結板１１と、該連結板１１の屋外側にかしめて保持された保持板１３と、前記上下壁パネル１０・２０の補強体１０ｃ・２０ｃに係合し、上下壁パネル１０・２０の不陸を矯正する調節板１２・１２と、該調節板１２に固定されるとともに、前記保持板１３を挿通して連結板１２に締結されるボルト等の締結部材１６と、前記保持板１３と前記調節板１２との間に配され、前記調節板１２・１２を屋外側に付勢する付勢バネ１５と、から構成されている。前記保持板１３の一側または両側には水平方向に受板１４が連結され、該受板１４と目地に埋めるシーリング材２７の間に目地充填材２３及び、バックアップ材２５を保持できるようにしている。
【００１８】
前記付勢バネ１５は、ボルト等の締結部材１６に外嵌され、該締結部材１６は調節板１２に固定されて前記調節板１２の屋外側から挿し込まれて、保持板１３を挿通し、連結板１１に設けたネジ孔に締結されている。
そして、前記付勢バネ１５によって、調節板１２を屋外側に付勢しているので、取付時において、調節板１２を水平の状態で補強体１０ｃ・２０ｃの中空部に挿入して、その後９０度回転させることで、調節板１２の一端の屈曲部分を補強体１０ｃ・２０ｃに押しつけることができ、目地部に生じる上下壁パネルの不陸を矯正することができる。
なお、前記調節板１２は付勢バネ１５にて屋外側に付勢されているため、該調節板１２を９０度回転させた場合においても、該調節板１２は屋内外方向へ移動することがなく、位置ずれを起こさないものである。
【００１９】
図３乃至図５に示すように、前記連結板１１は、直角に折り曲げられて水平面と鉛直面により構成されており、端部は「く」字状に折り曲げられて前記連結板１１の回転防止とともに補強が図られている。そして、該連結板１１の水平面上の略中央部には前記スタッドボルト５を取り付ける孔１１ａを設けており、該孔１１ａにスタッドボルト５が挿入され連結板１１の下部にて前記スタッドボルト５の突出端が固定される。
そして、該孔１１ａに取り付けられたスタッドボルト５を躯体３に取り付けることで、躯体３の屋外側端面と連結板１１の鉛直面とが揃い、下部壁パネル１０と上部壁パネル２０とがずれることがなく配置されるようになっている。
【００２０】
また、前記連結板１１の鉛直面には、前記締結部材１６を螺装する孔１１ｂ・１１ｂが左右に設けられており、該孔１１ｂ・１１ｂの水平方向外側には円筒状の突起１１ｃ・１１ｃが屋外側に突出されており、該突起１１ｃ・１１ｃを保持板１３にかしめて、連結板１１に対して保持板１３を位置決めできるようにしている。
また、前記連結板１１の鉛直部には上下二箇所に略Ｕ字形状の切抜部１１ｄ・１１ｄを設け、該切抜部１１ｄ・１１ｄに囲まれた凸部分を垂直に折曲して屋外側方向に突出する突出部１１ｅ・１１ｅを形成している。該突出部１１ｅ・１１ｅは保持板１３の上下に位置を合わせて切り欠いて設けた凹部１３ａ・１３ａに係合されて、連結板１１に対して保持板１３が位置ずれを起こさないようにしている。
また、前記凹部１３ａ・１３ａに係合された突出部１１ｅ・１１ｅの先端部が、前記調節板１２の９０度回転位置にて当接し、前記調節板１２の回転角度が９０度以上にならないようにストッパの役目をはたしている。
【００２１】
図６、図７に示すように、前記保持板１３には連結部１８を介して受板１４が連結され、該保持板１３の左右中央部は受板１４に対して屋内側に若干突出し、逆側に凹部１９を構成している。
即ち、前記保持板１３は両端部をクランク状に折曲した形状に成形されており、該両端部を連結部１８として受板１４と連結している。また、保持板１３には、前述の如く、連結板１１に形成された突出部１１ｅ・１１ｅを係合する凹部１３ａ・１３ａが左右位置をずらせて上下に設けられているとともに、連結板１１に形成された突起１１ｃ・１１ｃを係合するための孔１３ｂ・１３ｂと、前記連結板１１と調節板１２間に挿通して配置される締結部材１６を挿通するための孔１３ｃ・１３ｃと、が設けられている。
【００２２】
また、前記保持板１３両端部には孔１３ｄ・１３ｄが、受板１４両端部には孔１４ａ・１４ａがそれぞれ設けられており、各孔１３ｄ・１４ａにピン等を挿通して固定することで保持板１３と受板１４とを水平に連結できるようにしている。
なお、前記保持板１３と受板１４との連結部１８においては、前記保持板１３端部もしくは受板１４端部の何れか一方側に突起部を形成し、凹凸を係合してかしめて連結してもよい。
【００２３】
前記受板１４は断面コ字状（図１）に形成されており、該受板１４にて目地充填材２３及び、バックアップ材２５を保持して、該目地充填材２３及びバックアップ材２５を下部壁パネル１０と上部壁パネル２０との各外壁材１０ａ・２０ａの目地部に保持する構成としている。
前記目地充填材２３はセラミックファイバー等、防火性の高い材料で構成されている。また、前記バックアップ材２５は発泡ポリエチレン等でスポンジ状に構成されており、防水性を有するとともに、目地部に充填されるシーリング材の三面接着を防止するべく配置されているものである。
【００２４】
また、屋内側に突出して形成された保持板１３の前記凹部１９に前記一対の調節板１２・１２が配置されるものであり、屋外側目地部に調節板１２・１２が突出しないように構成されているものである。
【００２５】
以上に説明した壁パネル連結具１の構成において、隣接する上下の壁パネル間の目地に施工する場合、まず、躯体３に対してスタッドボルト５と一体となった連結板１１を固定し、躯体３の屋外側端面と連結板１１の鉛直部とを揃える。これにより、上下の壁パネルをずれなく配置して目地合わせを行えるようにしている。
【００２６】
そして、図２に示すように、連結板１１に対して水平に配された一対の調節板１２・１２をそれぞれ締結部材１６を中心に時計周り方向に９０度回動する。この調節板１２・１２の回動に伴い、調節板１２・１２先端の屈曲部が補強体１０ｃ・２０ｃに係止し、上下壁パネル１０・２０の不陸が矯正される。この時、前記連結板１１の突出部１１ｅ・１１ｅ先端部が調節板１２・１２のストッパとなり、調節板１２・１２の回動角度が規制され、必要以上に調節板１２・１２が回動されることがないものである。
【００２７】
以上の工程により、隣接する上下の壁パネルの目地合わせを行うとともに、目地充填材を保持する受板１４を目地部に対してずれなく水平に配置することができるのである。
このため、少ない施工工程で、容易に目地合わせを行うとともに、充填材の受板を配置することができるのである。
【００２８】
また、上下の壁パネルの目地部に壁パネル連結具１を配置した後、受板１４にて目地充填材２３及びバックアップ材２５を保持し、各壁パネルの外壁材１０ａ・２０ａの間にシーリング材２７を配置することで壁パネルの水平目地施工が完了するのである。
このように、壁パネルの目地部にシーリング材２７、バックアップ材２５、目地充填材２３を充填することで、防水性及び防火性の向上を図るとともに、シーリング材の三面接着を防止してシーリング材の長寿命化を図ることができる。
【図面の簡単な説明】
【００２９】
【図１】本発明に係る壁パネルの目地構造を示す縦断面図。
【図２】壁パネル連結具の構成を示す正面図。
【図３】連結板の構成を示す正面図。
【図４】同じく側面図。
【図５】同じく平面図。
【図６】保持板の構成を示す正面図。
【図７】同じく平面図。
【符号の説明】
【００３０】
１    壁パネル連結具
３    躯体
４    土台梁
５    スタッドボルト
１０  下部壁パネル
１１  連結板
１２  調節板
１３  保持板
１４  受板
１５  付勢バネ
１６  締結部材
２０  上部壁パネル
【図１】
2005213930.tif 000003
【図２】
2005213930.tif 000004
【図３】
2005213930.tif 000005
【図４】
2005213930.tif 000006
【図５】
2005213930.tif 000007
【図６】
2005213930.tif 000008
【図７】
2005213930.tif 000009